(57)【要約】【課題】容易かつ簡単に交換できるリニューアル用操作盤を提供する。【解決手段】リニューアル用操作盤１Ａは乗りかご内の既設側板２と、側板２に装着される操作パネル１と、側板２に設けられた既設ボックス３とを備えている。操作パネル１に既設ボックス３内に収納される小型ボックス４が取付けられている。操作パネル１は一対の側板１ａを有し側板２に対して所定の厚みをもって突出する。操作パネル１の上縁と下縁に上縁キャップ１１と下縁キャップ１２が各々設けられている。【選択図】図１
2016016937.tif 000002
【特許請求の範囲】
【請求項１】
エレベータの乗りかご内に設置されたリニューアル用操作盤において、
エレベータの乗りかご内に設けられた既設側板と、
前記既設側板に取付けられた既設ボックスと、
前記既設側板に装着されるとともに、前記既設側板に対して所定の厚みをもって突出し、操作部および表示部を有する操作パネルとを備え、
前記操作パネルは前記既設ボックスに対応する位置で、前記既設ボックスの形状に制限されることなく配置されていることを特徴とするリニューアル用操作盤。
【請求項２】
前記操作パネルの上縁および下縁と、前記既設側板との間の隙間を埋める上縁キャップおよび下縁キャップを設けたことを特徴とする請求項１記載のリニューアル用操作盤。
【請求項３】
前記既設側板に前記操作パネルの上縁および下縁が嵌込まれる上縁ボックスと下縁ボックスを各々設けたことを特徴とする請求項１記載のリニューアル用操作盤。
【請求項４】
前記操作パネルの一対の側縁と前記既設側板との間の隙間を埋める一対の側縁フレームを設けたことを特徴とする請求項１記載のリニューアル用操作盤。
【請求項５】
前記操作パネルの周囲に、前記既設側板との間の隙間を埋めるパッキンを設けたことを特徴とする請求項１記載のリニューアル用操作盤。
【請求項６】
前記既設ボックスの一方の側面にヒンジ受けを設け、前記操作パネルに、前記ヒンジ受けに係合してヒンジ受けとともにヒンジ部を形成するヒンジ係合部を設け、
前記操作パネルに、前記既設ボックスのうち前記一方の側面と反対側の他方の側面に係合する弾性体を設けたことを特徴とする請求項１記載のリニューアル用操作盤。
【発明の詳細な説明】
【技術分野】
【０００１】
本実施の形態はエレベータの乗りかご内に設置されたリニューアル用操作盤に関する。
【背景技術】
【０００２】
従来、エレベータの乗りかごのリニューアル工事を行う際、三方枠、乗り場押しボタン、階数表示灯、乗りかご内に設置されている操作盤、側板、巾木、入口柱など、普段エレベータの利用者が直接触れる部分の交換の取り換え工事が行われていた。この中でも、乗りかごに設置されている操作盤の取り換え工事は必ず行われていた。
【０００３】
図１１に示すように、リニューアル工事で操作盤を交換するためには、既設ボックス３と新規の操作盤１には寸法と取り付け方法が違うため、必ず側板２の交換も行われていた。しかしながら、この方法だと操作盤の交換のために、側板２、巾木３２、入口柱３３の新規用品の設置が必要となるため作業効率が低く問題となっている。
【先行技術文献】
【特許文献】
【０００４】
【特許文献１】特開２００５−２６３４３０号公報
【発明の概要】
【発明が解決しようとする課題】
【０００５】
本発明はこのような点を考慮してなされたものであり、容易かつ簡単に交換することができるリニューアル用操作盤を提供することを目的とする。
【課題を解決するための手段】
【０００６】
本実施の形態は、エレベータの乗りかご内に設置されたリニューアル用操作盤において、エレベータの乗りかご内に設けられた既設側板と、前記既設側板に取付けられた既設ボックスと、前記既設側板に装着されるとともに、前記既設側板に対して所定の厚みをもって突出し、操作部および表示部を有する操作パネルとを備え、前記操作パネルは前記既設ボックスに対応する位置で、前記既設ボックスの形状に制限されることなく配置されていることを特徴とするリニューアル用操作盤である。
【図面の簡単な説明】
【０００７】
【図１】図１は第１の実施の形態によるリニューアル用操作盤の操作パネルと側板を示す図。
【図２】図２（ａ）および図２（ｂ）は組立てられたリニューアル用操作盤を示す図。
【図３】図３は第２の実施の形態によるリニューアル用操作盤の操作パネルと側板を示す図。
【図４】図４は組立てられたリニューアル用操作盤を示す図。
【図５】図５は第３の実施の形態によるリニューアル用操作盤の操作パネルと側板を示す図。
【図６】図６は組立てられたリニューアル用操作盤を示す図。
【図７】図７は第４の実施の形態によるリニューアル用操作盤の操作パネルと側板を示す図。
【図８】図８は組立てられたリニューアル用操作盤を示す図。
【図９】図９は第５の実施の形態によるリニューアル用操作盤の操作パネルと側板を示す図。
【図１０】図１０は組立てられたリニューアル用操作盤を示す図。
【図１１】図１１は従来の操作盤とかご室を示す図。
【発明を実施するための形態】
【０００８】
＜第１の実施の形態＞
以下、図面を参照して第１の実施の形態について説明する。図１および図２は本発明によるリニューアル用操作盤の第１の実施の形態を示す図である。
【０００９】
図１および図２に示すように、リニューアル用操作盤１Ａは、エレベータの乗りかご４０内に設置されるものである。このようなリニューアル用操作盤１Ａは、乗りかご４０内の内壁に設置された既設の側板（取付板）２と、この側板２に連結されるとともに乗りかご４０の内壁側へ引込む既設ボックス３と、側板２に装着される操作パネル１とを備えている。
【００１０】
このうち操作パネル１は、側板２のうち既設ボックス３に対応する位置に、この既設ボックス３を覆うように装着されている。また、操作パネル１は一対の側縁に設けられた側板１ａを有し、既設側板２に対して側板１ａの高さだけ所定の厚みｈをもって突出する。
【００１１】
操作パネル１はリニューアル用操作パネルであって、乗りかご４０内の乗客へ向って表示する表示部１ａと、乗りかご４０内の乗客が操作可能な操作部１ｂとを有している。
【００１２】
また操作パネル１の裏面には、側板２側の既設ボックス３内に収納される小型ボックス４が取付けられている。
【００１３】
さらに側板２のうち既設ボックス３より上方に角穴（係止部）７が設けられ、操作パネル１にはこの角穴７に係合する弾性板状片（係合部）５が設けられている。
【００１４】
また既設ボックス３の底面３ａには丸穴（第１開口）８が設けられ、小型ボックス４の底面４ａには丸穴８に対応する位置に丸穴（第２開口）６が設けられている。
【００１５】
なお、操作パネル１には、小型ボックス４に対応する位置に開閉扉９が設けられている。さらにまた操作パネル１の上縁および下縁に、操作パネル１と側板２との間の隙間を埋める上縁キャップ１１と下縁キャップ１２が各々設けられている。
【００１６】
次にこのような構成からなる本実施の形態の作用について説明する。
【００１７】
まず既設の側板２から既設の操作パネル１を取外す。次にリニューアル操作パネル１を準備して、既設の側板２に装着する。
【００１８】
この場合、まずリニューアル操作パネル１の弾性板状片５を、側板２の角穴７に係合し、小型ボックス４を既設ボックス３内に収納する。
【００１９】
次に操作パネル１の開閉扉９を開き、既設ボックス３の第１開口８に小型ボックス４の第２開口６を合わせ、この第１開口８および第２開口６内に締結ボルト１０を貫通させて締付ける。
【００２０】
このことにより、既設ボックス３の上部において弾性板状片５が角穴７に係合し、第１開口８および第２開口６を締結ボルト１０により締付けることができ、既設の側板２にリニューアル操作パネル１を容易かつ確実に取付けることができる。このように側板２とリニューアル操作パネル１とを組立てることにより、リニューアル操作盤が完成する。
【００２１】
この場合、操作パネル１は一対の側板１ａを有し、操作パネル１の上縁および下縁に上縁キャップ１１と下縁キャップ１２が設けられている。このため、操作パネル１の形状が既設ボックス３の形状より多少大きくなっても、側板２に対して操作パネル１を突出させ、既設ボックス３の形状に制限されることなく、操作パネル１を問題なく取付けることができる。
【００２２】
＜第２の実施の形態＞
以下、図３および図４を参照して第２の実施の形態について説明する。
【００２３】
図３および図４に示す第２の実施の形態は、上縁キャップ１１と下縁キャップ１２を設ける代わりに、上縁ボックス１４と下縁ボックス１５を設けた点および既設の側板２に対するリニューアル操作パネル１の取付構造が異なるが、他の構成は図１および図２に示す第１の実施の形態と略同一である。
【００２４】
図３および図４に示す第２の実施の形態において、図１および図２に示す第１の実施の形態と同一部分には同一符号を付して詳細な説明は省略する。
【００２５】
図３および図４に示すように、既設の側板２には、既設ボックス３が設けられ、リニューアル操作パネル１の裏面には、既設ボックス３の内面に嵌合する４個のコ字状弾性体１３が縦方向に並んで設けられている。
【００２６】
なお、図３および図４に示すように、リニューアル操作パネル１には小型ボックスは設けられていない。また側板２には、操作パネル１の上縁が嵌込まれる上縁ボックス１４と、操作パネル１の下縁が嵌込まれる下縁ボックス１５とが各々設けられている。
【００２７】
次にこのような構成からなる本実施の形態の作用について説明する。
【００２８】
まず既設の側板２から既設の操作パネル１を取外す。次にリニューアル操作パネル１を準備して、既設の側板２に装着する。
【００２９】
次に側板２に上縁ボックス１４と下縁ボックス１５を各々取付ける。この場合、上縁ボックス１４の開口１４ａと側板２の開口１８を合わせてこれら開口１４ａ、１８に締結ボルト１９を挿着し、上縁ボックス１４を側板２に取付ける。同様に下縁ボックス１５の開口１５ａと側板２の開口１７を合わせてこれら開口１５ａ、１７に締結ボルト１９を挿着し、下縁ボックス１５を側板２に取付ける。
【００３０】
次に操作パネル１の上縁を上縁ボックス１４内に嵌合し、操作パネル１の下縁を下縁ボックス１５内に嵌合する。
【００３１】
この場合、操作パネル１の裏面に設けられたコ字状弾性体１３が既設ボックス３の側面３ｂ、３ｃに設けられた角穴１６に嵌合する。
【００３２】
このことにより、リニューアル操作パネル１に縦方向に並んで設けられた例えば４個のコ字状弾性体１３を既設ボックス３の側面３ｂ、３ｃに設けられた角穴１６に嵌合させることができ、既設の側板２にリニューアル操作パネル１を容易かつ確実に取付けることができる。このように側板２とリニューアル操作パネル１とを組立てることにより、リニューアル操作盤が完成する。
【００３３】
また、操作パネル１の上縁は上縁ボックス１４内に嵌合し、操作パネル１の下縁は下縁ボックス１５内に嵌合するため、操作パネル１の長さが既設ボックス３の長さより長くなっても、問題なく操作パネル１を側板２に取付けることができる。
【００３４】
＜第３の実施の形態＞
以下、図５および図６を参照して第３の実施の形態について説明する。
【００３５】
図５および図６に示す第３の実施の形態は、操作パネル１に上縁キャップ１１と下縁キャップ１２を設ける代わりに、側板２に操作パネル１の上縁を覆う追加ブラケット２０を取付け、側板２に操作パネル１の下縁を覆う追加キャップ２１を取付けたものである。
【００３６】
また、操作パネル１に一対の側板１ａは設けられておらず、その代わりに側板２に操作パネル１の一対の側縁を覆う一対の側縁フレーム２２が設けられている。
【００３７】
他の構成は図１および図２に示す第１の実施の形態と略同一である。
【００３８】
図５および図６に示す第３の実施の形態において、図１および図２に示す第１の実施の形態と同一部分には同一符号を付して詳細な説明は省略する。
【００３９】
図５および図６において、まず追加ブラケット２０の開口２０ａを側板２の開口１８に合わせ、開口２０ａ、１８に締結ボルト１９を挿着する。このように側板２に追加ブラケット２０を固定し、次に操作パネル１の上縁を追加ブラケット２０の規制板２０ｂに嵌込む。
【００４０】
その後操作パネル１の下縁と側板２との間に追加キャップ２１を嵌込み、操作パネル１の一対の側縁と側板２との間に一対の側縁フレーム２２を嵌込む。
【００４１】
この場合、操作パネル１には小型ボックス４が設けられており、この小型ボックス４は既設ボックス３内に収納される。次に操作パネル１の開閉扉９を開き、既設ボックス３の第１開口８に小型ボックスの第２開口６を合わせ、この第１開口８および第２開口６内に締結ボルト１０を挿着する（図２（ａ）（ｂ）参照）。
【００４２】
本実施の形態によれば、操作パネル１の一対の側縁に一対の側縁フレーム２２が嵌合されているため、操作パネル１の幅が既設ボックス３の幅より大きくなっても、問題なく操作パネル１を側板２に取付けることができる。
【００４３】
＜第４の実施の形態＞
以下、図７および図８を参照して第４の実施の形態について説明する。
【００４４】
図７および図８に示す第４の実施の形態は、既設の側板２に対するリニューアル操作パネル１の取付構造が異なるのみであり、他の構成は図１および図２に示す第１の実施の形態と略同一である。
【００４５】
図７および図８に示す第４の実施の形態において、図１および図２に示す第１の実施の形態と同一部分には同一符号を付して詳細な説明は省略する。
【００４６】
図７および図８に示すように、既設の側板２のうち、既設ボックス３の上部にＺ形断面をもつＺ形ブラケット（第１係止部）２５が設けられ、既設ボックス３の下部にＬ形断面をもつＬ形ブラケット（第２係止部）２６が設けられている。またリニューアル操作パネル１に、Ｚ形ブラケット２５に係合するＺ形ブラケット（第１係合部）２３と、Ｌ形ブラケット２６に係合するＬ形ブラケット（第２係合部）２４とが設けられている。
【００４７】
なお、図７および図８に示すように、リニューアル操作パネル１には小型ボックスは設けられていない。
【００４８】
次にこのような構成からなる本実施の形態の作用について説明する。
【００４９】
まず既設の側板２から既設の操作パネル１を取外す。次にリニューアル操作パネル１を準備して、既設の側板２に装着する。
【００５０】
この場合、リニューアル操作パネル１のＺ形ブラケット２３を、側板２のＺ形ブラケット２５に係合させる。
【００５１】
次にリニューアル操作パネル１のＬ形ブラケット２４を側板２のＬ形ブラケット２６に係合させる。次にＬ形ブラケット２４とＬ形ブラケット２６が締結ボルト２７により堅固に固定される。
【００５２】
このことにより、既設ボックス３の上部においてＺ形ブラケット２３がＺ形ブラケット２５に係合し、既設ボックス３の下部において、Ｌ形ブラケット２４がＬ形ブラケット２６に係合する。このため、既設の側板２にリニューアル操作パネル１を容易かつ確実に取付けることができる。
【００５３】
その後操作パネル１の上縁および下縁に、操作パネル１の上縁および下縁と側板２との間の隙間を埋める上縁キャップ１１と下縁キャップ１２が各々装着される。
【００５４】
その後操作パネル１の一対の側縁にパッキン２８が充てんされ、このようにして操作パネル１の一対の側縁と側板２との隙間を埋めることができる。
【００５５】
なお、パッキン２８を操作パネル１の一対の側縁だけでなく、操作パネル１の上縁および下縁を含む全周に設けてもよい。
【００５６】
このように側板２とリニューアル操作パネル１とを組立てることにより、リニューアル操作盤が完成する。
【００５７】
＜第５の実施の形態＞
以下、図９および図１０を参照して第５の実施の形態について説明する。
【００５８】
図９および図１０に示す第５の実施の形態は、既設の側板２に対するリニューアル操作パネル１の取付構造が異なるのみであり、他の構成は図１および図２に示す第１の実施の形態と略同一である。
【００５９】
図９および図１０に示す第５の実施の形態において、図１および図２に示す第１の実施の形態と同一部分には同一符号を付して詳細な説明は省略する。
【００６０】
図９および図１０に示すように、既設の側板２のうち、既設ボックス３の一方の側面３ｂにヒンジ受け３１が設けられ、リニューアル操作パネル１にヒンジ受け３１と係合して、このヒンジ受け３１とともにヒンジ部２９Ａを形成するヒンジ係合部２９が設けられている。
【００６１】
またリニューアル操作パネル１に、既設ボックスのうち、一方の側面３ｂと反対側の他方の側面３ｃに係合する弾性体３０が設けられている。
【００６２】
なお、図９および図１０に示すように、リニューアル操作パネル１には小型ボックスは設けられていない。
【００６３】
次にこのような構成からなる本実施の形態の作用について説明する。
【００６４】
まず既設の側板２から既設の操作パネル１を取外す。次にリニューアル操作パネル１を準備して、既設の側板２に装着する。
【００６５】
この場合、リニューアル操作パネル１のヒンジ係合部２９を側板２のヒンジ受け３１に係合させてヒンジ部２９Ａを形成する。
【００６６】
次に操作パネル１をヒンジ部２９Ａを中心として回動させて、操作パネル１を側板２に当接させる。このとき、リニューアル操作パネル１の弾性体３０が既設ボックス３の他方の側面３ｃに嵌合する。
【００６７】
このことにより、既設ボックス３の一方の側面３ｂにおいてヒンジ係合部２９がヒンジ受け３１に係合し、他方の側面３ｃに弾性体３０が嵌合し、これにより既設の側板２にリニューアル操作パネル１を容易かつ確実に取付けることができる。このように側板２とリニューアル操作パネル１とを組立てることにより、リニューアル操作盤が完成する。
【００６８】
また本実施の形態によれば、操作パネル１を開閉することにより、側板に取付けることができ、取付作用をより簡単に行なうことができる。
【００６９】
なお、上記の実施の形態は例示であり、発明の範囲はそれらに限定されるものではなく、種々の変更が可能である。
【符号の説明】
【００７０】
１  操作パネル、１ａ  表示部、１ｂ  操作部、２  側板、３  既設ボックス、４  小型ボックス、５  弾性板状片、６  開口、７  角穴、８  開口、９  開閉扉、１０  締結ボルト、１１  上縁キャップ、１２  下縁キャップ、１３  コ字状弾性体、１４  上縁ボックス、１５  下縁ボックス、１６  角穴、１７  開口、１８  開口、１９  締結ボルト、２０  追加ブラケット、２１  追加キャップ、２２  側縁フレーム、２３  Ｚ形ブラケット、２４  Ｌ形ブラケット、２５  Ｚ形ブラケット、２６  Ｌ形ブラケット、２９  ヒンジ係合部、２９Ａ  ヒンジ部、３０  弾性体、３１  ヒンジ受け、３２  巾木、３３  入口柱、４０  乗りかご
【図１】
2016016937.tif 000003
【図２】
2016016937.tif 000004
【図３】
2016016937.tif 000005
【図４】
2016016937.tif 000006
【図５】
2016016937.tif 000007
【図６】
2016016937.tif 000008
【図７】
2016016937.tif 000009
【図８】
2016016937.tif 000010
【図９】
2016016937.tif 000011
【図１０】
2016016937.tif 000012
【図１１】
2016016937.tif 000013
【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
エレベータの乗りかご内に設置されたリニューアル用操作盤において、
エレベータの乗りかご内に設けられた既設側板と、
前記既設側板に取付けられた既設ボックスと、
前記既設側板に一対の側板を介して装着されるとともに、前記既設側板に対して所定の厚みをもって突出し、操作部および表示部を有する操作パネルとを備え、
前記操作パネルの裏面の小型ボックスは、前記既設ボックス内に配置され、前記操作パネルの裏面の他の部材は前記一対の側板間に収まることを特徴とするリニューアル用操作盤。
【請求項２】
エレベータの乗りかご内に設置されたリニューアル用操作盤において、
エレベータの乗りかご内に設けられた既設側板と、
前記既設側板に取付けられた既設ボックスと、
前記既設側板に一対の側板を介して装着されるとともに、前記既設側板に対して所定の厚みをもって突出し、操作部および表示部を有する操作パネルとを備え、
前記操作パネルの裏面の部材は前記一対の側板間に収まることを特徴とするリニューアル用操作盤。
【請求項３】
前記操作パネルの上縁および下縁と、前記既設側板との間の隙間を埋める上縁キャップおよび下縁キャップを設けたことを特徴とする請求項１または２記載のリニューアル用操作盤。
【請求項４】
前記既設側板に前記操作パネルの上縁および下縁が嵌込まれる上縁ボックスと下縁ボックスを各々設けたことを特徴とする請求項１または２記載のリニューアル用操作盤。
【請求項５】
前記操作パネルの一対の側縁と前記既設側板との間の隙間を埋める一対の側縁フレームを設けたことを特徴とする請求項１または２記載のリニューアル用操作盤。
【請求項６】
前記操作パネルの周囲に、前記既設側板との間の隙間を埋めるパッキンを設けたことを特徴とする請求項１または２記載のリニューアル用操作盤。
【請求項７】
前記既設ボックスの一方の側面にヒンジ受けを設け、前記操作パネルに、前記ヒンジ受けに係合してヒンジ受けとともにヒンジ部を形成するヒンジ係合部を設け、
前記操作パネルに、前記既設ボックスのうち前記一方の側面と反対側の他方の側面に係合する弾性体を設けたことを特徴とする請求項１または２記載のリニューアル用操作盤。